(57)【要約】      （修正有）【課題】よりよい粘着力を有し、糊が手にも付かないこと、それに対応の付箋ケースを使用して、より多様化で柔軟に利用可能で、優れた利便性の向上につながるポップアップ式両矢印型粘着付箋を提供する。【解決手段】複数枚の粘着付箋を一定の高さまで相互に重ねてなり、各枚の粘着付箋は、透明または半透明の長形のフィルム１で作られたものであり、該フィルムの両先端にそれぞれ、使用時の指示用の矢印部が設けられ、それに、該フィルムの片面は、各種蛍光色で作られた色付け層１２で、他面は粘着剤層１３に設けられており、該色付け層と該粘着剤層の範囲は同様で、相互対応するように設けられており、該フィルムの表面の範囲は、何れかの一端の矢印部を含み、フィルムの長さの半分または半分以上を占める必要があり、残りの面積は無色層でかつ無粘着剤層で、透明または半透明タイプに設けられてもよい。【選択図】図２
0003186476.tif 000002
【実用新案登録請求の範囲】
【請求項１】
両先端にそれぞれ矢印部が設けられている細長いフィルムが備わり、該フィルムの片面に設けられ、一先端の矢印部分及びフィルム全体の長さの半分またはその半分以上を含めてなる色付け層、色付け層に対向して、該フィルムの他面に設けられている粘着剤層を備えてなり、該粘着剤層と該色付け層は、該フィルムの表面を占める長さが同じであるように設けられていることを特徴とする両矢印型粘着付箋。
【請求項２】
矢印部は、尖った錐形部に代えられ、両錐形型粘着付箋に設けられることを特徴とする請求項１に記載の両矢印型粘着付箋。
【請求項３】
色付け層は、各種蛍光色から一つを選んで設けられていることを特徴とする請求項１に記載の両矢印型粘着付箋。
【請求項４】
フィルムは、透明または半透明タイプであることを特徴とする請求項１に記載の両矢印型粘着付箋。
【請求項５】
色付け層と粘着剤層は、フィルム全体の長さの２／３を占めるのがよいことを特徴とする請求項１に記載の両矢印型粘着付箋。
【請求項６】
請求項１〜５に記載のいずれの一つの両矢印型粘着付箋を含み、複数積層されてなり、上下の両矢印型粘着付箋の色付け層と粘着剤層を、互い違いに重ねてなっていることを特徴とするポップアップ式両矢印型粘着付箋セット。
【請求項７】
更に、それに対応の付箋ケースが設けられており、該付箋ケースは側面から見て、Ｃの形のように見えるが、開口が上に配置され、その内部に複数の仕切板で、複数のポケット間を仕切られており、該ポップアップ式両矢印型粘着付箋セットを該付箋ケース内のポケット間に収められており、一番上の一枚の両矢印型粘着付箋を、一端の矢印部を開口へ露出させるように設けられていることを特徴とする請求項６に記載のポップアップ式両矢印型粘着付箋セット。
【請求項８】
付箋ケースには、一個以上のポップアップ式両矢印型粘着付箋セットが入っていることを特徴とする請求項７に記載のポップアップ式両矢印型粘着付箋セット。
【請求項９】
一個以上のポップアップ式両矢印型粘着付箋セットの色付け層は、同じまたは異なる色に設けられてもよいことを特徴とする請求項８に記載のポップアップ式両矢印型粘着付箋セット。
【考案の詳細な説明】
【技術分野】
【０００１】
本考案は、粘着付箋の改良に関わり、言い換えれば、文書での表示や区別などに使用されるもので、両先端にそれぞれ矢印部が設けられている長形のフィルムが備わり、該フィルムの片面に各種蛍光顔料で作られた色付け層、それに対向した他面に、粘着用の粘着剤層を備えてなり、該色付け層と粘着剤層は、フィルムの占める面積が同様で、一端の矢印部は、その半分または半分以上の面積を占めており、残りの面積及び他端の矢印部は無色層でかつ無粘着剤層で、しかも透明または半透明タイプのものに関する。
【背景技術】
【０００２】
よく見られる粘着付箋は細長い紙で、該紙の片面は全部、色付け層になっているのに対して、他面の局所に粘着剤層が設けられ、そして、粘着剤層は、紙全体の面積の約１／４か１／５だけ占めてなり、このような粘着付箋は、粘着剤層の占める面積が小さく、粘着力が弱くて、書類や紙の片側に貼り付けたら、容易に剥がれてしまうこと、次に、該粘着付箋の数枚を積層させてなる粘着付箋セットは長形の両先端縁が平らな形をしており、それを取りにくく、一番上の一枚の粘着付箋を引き取るのが比較的に難しいこと、更に、該粘着付箋の表面全体は色付られ、先端も同じ形をしており、どっちが粘着剤層なのか、どっちが無粘着層なのか識別しにくく、使用の時、迷ったりすること、その上、透明なポリマーで作られた透明なメモ・付箋の場合も同じく矩形で、片面に色付きの矢印部があり、その他の部分は、透明のままでなるもので、そのような透明メモ・付箋は、上述した付箋より見た目がよい割に、矩形でかつ両先端が平ら形をしていることで、それを取って使用するとき、どっちを取るか迷ったりする場合もあること、なお、該粘着剤層の部分は設計上、透明付箋・メモ全体の半分を超えないように設けられているから、同じく粘着力がよくないという欠点があること。
【考案の開示】
【考案が解決しようとする課題】
【０００３】
本考案は、使用者の多様化な使用ニーズを更に満足させ、より柔軟に利用可能で、利便性向上に向けたオリジナルなポップアップ式両矢印型粘着付箋を提供することを目的一とする。
【０００４】
本考案は、色付け層と粘着剤層は、フィルムの両面に同様でかつ大面積を占められ、蛍光色が顕著に目立つと同時に、識別性もよいこと、それに、色付け層の裏面が粘着剤層となるのも識別しやすく、よりよい粘着力を有し、糊が手にも付かないというオリジナルなポップアップ式両矢印型粘着付箋を提供することを目的二とする。
【課題を解決するための手段】
【０００５】
上述した各目的を達成させるため、本考案の技術手段として、複数枚の粘着付箋を一定の高さまで積層させてなり、各枚の粘着付箋は、透明または半透明のフィルムで作られたものであり、該フィルムの両先端にそれぞれ、使用時の指示用の矢印部が設けられ、それに、該フィルムの片面は、各種蛍光色で作られた色付け層で、他面は粘着剤層に設けられており、該色付け層と該粘着剤層の範囲は同様で、相互対応するように設けられており、該フィルムの表面の範囲は、何れかの一端の矢印部を含み、フィルムの長さの半分または半分以上を占める必要があり、残りの面積は無色層でかつ無粘着剤層で、透明または半透明タイプに設けられてもよいことを特徴とするポップアップ式両矢印型粘着付箋であり、それにより、両矢印型粘着付箋を複数枚、互い違いに重ねてなり、連続して取り出せる両矢印型粘着付箋セットに設けられていることを特徴とする。
【０００６】
フィルムは、何れかの幾何形に設けられ、細長いものが一番よいことを特徴とする。  
【０００７】
フィルムの両先端は、矢印部に取って代わり、それぞれ尖った錐形部に設けられてもよいことを特徴とする。
【０００８】
該フィルムの色付け層と該粘着剤層は、その一端の矢印部を含み、フィルム全体の長さの約２／３を占め、残りの約１／３の長さは、無色層及び無粘着剤層に設けられるという割合が一番よいことを特徴とする。
【０００９】
更に付箋ケースが設けられ、該付箋ケースは、側面から見て、Ｃの形のように見えるが、開口が上に配置され、その内部に複数の仕切板で、複数のポケット間を仕切られており、該ポップアップ式両矢印型粘着付箋セットを該付箋ケース内のポケット間に収められており、一番上の一枚の両矢印型粘着付箋を、一端の矢印部を開口へ露出させるように設けられていることを特徴とする。
【図面の簡単な説明】
【００１０】
【図１】本考案の好適な一実施例の粘着付箋の分解図である。
【図２】本考案の好適な一実施例のポップアップ式粘着付箋セットの分解図である。
【図３】本考案の好適な一実施例のポップアップ式粘着付箋セット及び付箋ケースの分解図である。
【図４】本考案の好適な一実施例のポップアップ式粘着付箋セット及び付箋との組合図である。
【図５】本考案のもう一つ好適な実施例の粘着付箋の分解図である。
【図６】本考案のもう一つの好適な実施例之ポップアップ式粘着付箋セット分解図である。
【図７】本考案のもう一つの好適な実施例のポップアップ式粘着付箋セット及び付箋ケースの分解図である。
【図８】本考案のもう一つの好適な実施例のポップアップ式粘着付箋セット及び付箋ケースの組合せ図である。
【考案を実施するための形態】
【００１１】
図１に示すように、本考案は、複数枚の粘着付箋を一定の高さまで重ねてなり、各枚の粘着付箋は、透明または半透明のフィルム（１）で作られ、いずれかの幾何形に設けられるが、本考案は、細長いものに設けられており、該フィルム（１）の両先端にそれぞれ、使用時の指示用の矢印部（１１）が設けられ、それに、該フィルム（１）の片面は、各種蛍光色で作られた色付け層（１２）で、他面は粘着剤層（１３）に設けられており、該色付け層（１２）と該粘着剤層（１３）の範囲は同様で、相互対応するように設けられており、該フィルム（１）の表面の範囲は、何れかの一端の矢印部（１１）を含み、フィルム（１）全体の長さの半分または半分以上を占める必要があり、本例の該色付け層（１２）と該粘着剤層（１３）は、何れかの一端の矢印部（１１）を含み、フィルム（１）全体の長さの約２／３を占め、残りの約１／３の長さの部分は、無色層（１２）と無粘着剤層（１３）で、透明または半透明タイプに設けられていることを特徴とする両矢印型粘着付箋である。
【００１２】
図２に示すように、上述した単一両矢印型粘着付箋は、実際で組合せの形態に設けられるとき、複数枚のフィルム（１）を使用するが、一フィルム（１）をベースに、それから、もう一つのフィルム（１）の色付け層（１２）及びベースになるフィルム（１）の色付け層（１２）を、相互違う方向に重ね、更に、もう一つのフィルム（１）は、ベースのフィルム（１）の色付け層（１２）を、ベースになるフィルム（１）色付け層（１２）と同じ方位に重ねるように配置するが、そうすると、各フィルム（１）の上面のフィルム（１）の色付け層（１２）は互い違いに配置され、該粘着剤層（１３）も互い違いに配置され、組合せられるポップアップ式両矢印型粘着付箋セットとなる。  
【００１３】
上述したポップアップ式両矢印型粘着付箋セットは使用の時、無粘着剤層（１３）の矢印部（１１）を取り出すと、色付け層（１２）と粘着剤層（１３）の矢印部（１１）が粘着剤層（１３）からの粘着力で、次のフィルム（１）の無粘着剤層（１３）の矢印部（１１）が引き出されることから、そうすると、連続して取り出せることになっている。  
【００１４】
該フィルム（１）は、両先端が矢印部（１１）に設けられており、文書に貼り付け、該矢印部（１１）で指示や表示を示し、表面の色付け層（１２）が顕著に目立ち、識別しやすいと同時に、使用の際、先端の矢印部の設計により、使用者がそれを指で取りやすくなり、無色層（１２）のフィルム（１）を見たら、他面が無粘着剤層（１３）になると分かることで、使用者が安心して、間違いなく、指で取り出すことができる。  
【００１５】
図３、図４に示すように、該ポップアップ式両矢印型粘着付箋セットは更に対応の付箋ケース（２）が設けられており、該付箋ケース（２）は、側面から見て、Ｃの形のように見えるが、開口が上に配置され、その内部に複数の仕切板（２１）で、複数のポケット間を仕切られており、該ポップアップ式両矢印型粘着付箋セットを該付箋ケース（２）内のポケット間に収められており、一番上の一枚の両矢印型粘着付箋を、一端の矢印部（１１）を開口へ露出させるように設けられており、それにより、使用の際、開口へ露出されている両矢印型粘着付箋の該端矢印部（１１）が斜めに立てられ、使用者がそれをそのまま、より簡単にすっと取り出すことができる。
【００１６】
図５に示すのは、本考案のもう一つの実施形態のフィルム（１）であり、該フィルムは本例で同じく細長いもので、該フィルム（１）の両先端はそれぞれ、尖った錐形部（１４）が設けられ、使用時の指示に用いられるが、それに、該フィルム（１）の片面は、各種蛍光色で作られた色付け層（１２）で、他面は粘着剤層（１３）に設けられており、該色付け層（１２）と該粘着剤層（１３）の範囲は同様で、相互対応するように設けられており、該フィルム（１）の表面の範囲は、何れかの一端の尖った錐形部（１４）を含み、フィルム（１）全体の長さの半分または半分以上を占める必要があり、本例での該色付け層（１２）と該粘着剤層（１３）は、いずれかの一端の尖った錐形部（１４）を含み、フィルム（１）全体の長さの約２／３を占め、残りの約１／３の長さ、及び他端の尖った錐形部（１４）は無色層（１２）と無粘着剤層（１３）で、透明または半透明タイプに設けられている両錐形型粘着付箋である。
【００１７】
図６に示すのは、上述した単一両錐形型粘着付箋は、実際で組合せの形態に設けられるとき、複数枚のフィルム（１）を使用するが、一フィルム（１）をベースに、もう一つのフィルム（１）の色付け層（１２）及びベースのフィルム（１）の色付け層（１２）を相互違う方向に重ね、更に、もう一つのフィルム（１）は、ベースのフィルム（１）の色付け層（１２）とベースのフィルム（１）の色付け層（１２）を同じ方位に重ねるように配置するが、そうすると、各フィルム（１）の上面のフィルム（１）の色付け層（１２）は互い違いに配置され、該粘着剤層（１３）も互い違いに配置され、組合せられるポップアップ式両錐形型粘着付箋セットとなる。
【００１８】
図７、図８に示すように、該ポップアップ式両錐形型粘着付箋セットは更に、それに対応の付箋ケース（２）が設けられており、該付箋ケース（２）は、側面から見て、Ｃの形のように見えるが、開口が上に配置され、その内部に複数の仕切板（２１）で、複数のポケット間を仕切られており、該ポップアップ式両錐形型粘着付箋セットを該付箋ケース（２）内のポケット間に収められており、一番上の一枚の両錐形型粘着付箋を、一端の尖った錐形部（１４）を開口へ露出させるように設けられており、それにより、使用の際、開口へ露出されている両錐形型粘着付箋の該端尖った錐形部（１４）が斜めに立てられ、使用者がそれをそのまま、より簡単にすっと取り出すことができる。
【００１９】
但し、上述したのは、本考案の好適な実施例の掲示のみに限られるもので、本明細書及び図面に基づき、その構造の変化を行い、それと同等な効果を得たとしても、それらは全て、本考案の実用新案登録請求範囲に含まれるものとすることをここで述べておく。  
【符号の説明】
【００２０】
フィルム    （１）
矢印部      （１１）
色付け層    （１２）
粘着剤層    （１３）
尖った錐形部（１４）
付箋ケース  （２）
仕切板      （２１）
【図１】
0003186476.tif 000003
【図２】
0003186476.tif 000004
【図３】
0003186476.tif 000005
【図４】
0003186476.tif 000006
【図５】
0003186476.tif 000007
【図６】
0003186476.tif 000008
【図７】
0003186476.tif 000009
【図８】
0003186476.tif 000010